(57)【特許請求の範囲】
【請求項１】
アウタスライドを外郭としてアウタスライドに内設するインナスライドを具え、任意の位相差をもってインナスライドとアウタスライドとを昇降する複動プレスにおいて、インナスライドと係合するインナコネクティングロッドの基端部を連結する第１偏心部と、この第１偏心部を挟んでアウタスライドと係合するアウタコネクティングロッドの基端部を連結する２つの第２偏心部とを同軸上に有するクランク軸をフレームに回転自在にフレームに並列に配置して、前記第１偏心部と前記第２偏心部を有する軸上に左メインギヤを設けた左クランク軸と、前記第１偏心部と前記第２偏心部を有する軸上に左メインギヤと噛合する右メインギヤを設けた右クランク軸と、インナコネクチングロッドと直接、またはインナプランジャガイドに昇降自在に案内されるインナプランジャを介して連結する２ポイントのインナスライドと、アウタコネクティングロッドと直接、またはアウタプランジャガイドに昇降自在に案内されるアウタプランジャを介して連結する４ポイントのアウタスライドとで構成したことを特徴とする複動プレスのスライド駆動装置。
【請求項２】
請求項１において、
前記左クランク軸及び左メインギヤと、前記右クランク軸及び右メインギヤとにアウタスライド及びインナスライドの加振力を打ち消す方向に作用するバランスウエイトを設けたことを特徴とする複動プレスのスライド駆動装置。
【発明の詳細な説明】
【０００１】
【発明の属する技術分野】
本発明は、任意の位相差をもってインナスライドとアウタスライドとを昇降する複動プレスのスライド駆動装置に関するものである。
【０００２】
【従来の技術】
複動プレス（ダブルアクションプレス）は、インナスライド（絞りスライド）の外側をアウタスライド（しわ押さえスライド）が独立して昇降する深絞り専用プレスで、アウタスライドの駆動機構によってカム式、トッグル式、油圧式等に分かれる。また、しわ押さえが静止していてテーブルがカムにより昇降するボトムスライド形式のプレス機械も使われている。
そうした従来の技術における複動プレスには、例えば、特開昭５７−１００８９９がある。
【０００３】
【発明が解決しようとする課題】
上述の特開昭５７−１００８９９では、同軸上にインナスライドとインナコネクチングロッドを介して係合する偏心部と、このインナスライドの偏心部を挟むように位相差をもってアウタスライドとアウタコネクチングロッドを介して係合する偏心部を設けたクランク軸が、プレス機械の前後中央部で左右方向に配置され、フレームに回転自在に設けられている。
特開昭５７−１００８９９におけるプレス機械のスライド駆動装置は、プレス機械の前後中央部で左右方向に１本のクランク軸を配置して構成するため、構造は簡単となる。
しかし、プレス機械の前方より材料を供給してプレス加工を行う場合には、アウタスライドのポイントが荷重を受ける位置に配置されていないため、荷重伝達を受けてアウタスライドに捩れが生じ易く、剛性も上げにくいと言う欠点がある。また、プレス機械のスライドが昇降する時の動的バランスを確保するための動的バランス装置を設ける場合には、上述のクランク軸にさらに動的バランス装置のための偏心部を設けなくてはならず、クランク軸を製作するための材料取りや加工が複雑となり、高価なものとなる。
【０００４】
本発明の目的は、上述の課題を解決し、高剛性で、アウタスライドへの荷重伝達が適切な複動プレスのスライド駆動装置を提供することにある。
【０００５】
【課題を解決するための手段】
上述の課題を解決するために、本発明は、アウタスライドを外郭としてアウタスライドに内設するインナスライドと係合するインナコネクチングロッドの基端部を連結する第１偏心部と、この第１偏心部を挟んでアウタスライドと係合するアウタコネクチングロッドの基端部を連結する２つの第２偏心部とを同軸上に有するクランク軸をフレームに回転自在に設けて、任意の位相差をもってインナスライドとアウタスライドとを昇降する複動プレスのスライド駆動装置において、第１偏心部と第２偏心部を有する軸上に左メインギヤを設けた左クランク軸と、第１偏心部と第２偏心部を有する軸上に左メインギヤと噛合する右メインギヤを設けた右クランク軸とを回転自在にフレームに並列に配置して、インナコネクチングロッドと直接、またはインナプランジャガイドに昇降自在に案内されるインナプランジャを介して連結する２ポイントのインナスライドと、アウタコネクチングロッドと直接、またはアウタプランジャガイドに昇降自在に案内されるアウタプランジャを介して連結する４ポイントのアウタスライドとで構成する。
【０００６】
上述の複動プレスのスライド駆動装置において、左クランク軸及び左メインギヤと、右クランク軸及び右メインギヤとにアウタスライド及びインナスライドの加振力を打ち消す方向に作用するバランスウエイトを設ける。
【０００７】
【発明の実施の形態】
図１及び図２に、本発明における複動プレスのスライド駆動装置の実施例を示す。
図１は、複動プレスの正面構成図を示し、プレス中心に対して左側半分にアウタスライドの状態を、右側半分にインナスライドの状態を示している。
また、図２は、複動プレスの右側面から見た断面構成図を示す。
【０００８】
図１及び図２に示すように、複動プレス１のフレーム１Ａ上には、動力源のメインモータ２が設けられ、フレーム１Ａの中央部上方の駆動軸８上に設けられたフライホイール５にプーリ３とベルト４を介して、クラッチ６とブレーキ７を接／断して、メインモータ２の動力を伝達する。
駆動軸８には、ピニオン９が設けられ、フレーム１Ａに回転自在に支持される右クランク軸１０上に設けられた右メインギヤ１１と噛合する。
右メインギヤ１１は、フレーム１Ａに回転自在に支持される左クランク軸１２上に設けられた左メインギヤ１３と噛合する。
【０００９】
フレーム１Ａの左右方向中心に対して対称に並列に配置された左クランク軸１２と右クランク軸１０には、フレーム１Ａの前後方向中心と一致するそれぞれ軸中央部に第１偏心部１０Ａ、１２Ａと、この第１偏心部１０Ａ、１２Ａを挟んで、２つの第２偏心部１０Ｂ、１０Ｂ、１２Ｂ、１２Ｂを同軸上に有する。
フレーム１Ａの前後方向中心にあってフレーム１Ａの左右方向中心に対して対称に並列に配置された第１偏心部１０Ａ、１２Ａには、インナコネクチングロッド１６、１６の基端部が連結される。
インナコネクチングロッド１６、１６の下端部は、アウタスライド１５を外郭としてアウタスライド１５に内設するインナスライド１４の２基の第１スライド調節装置１８、１８とフレーム１Ａ下面に設けたインナプランジャガイド２３、２３に昇降自在に案内されるインナプランジャ２２、２２を介して連結する。
【００１０】
また、第２偏心部１０Ｂ、１０Ｂ、１２Ｂ、１２Ｂには左右のインナコネクチングロッド１６、１６のそれぞれの前後に配設したアウタコネクチングロッド１７、１７、１７、１７の基端部が連結される。
アウタコネクチングロッド１７、１７、１７、１７の下端部は、アウタスライド１５の４基の第２スライド調節装置１９、１９、１９、１９とフレーム１Ａ下面に設けたアウタプランジャガイド２５、２５、２５、２５に昇降自在に案内されるアウタプランジャ２４、２４、２４、２４を介して連結する。
【００１１】
なお、本実施例において、インナコネクチングロッド１６とインナスライド１４とをインナプランジャ２２を介して連結したが、インナコネクチングロッド１６とインナスライド１４とを直接連結してもよい。
同様に、本実施例において、アウタコネクチングロッド１７とアウタスライド１５とをアウタプランジャ２４を介して連結したが、アウタコネクチングロッド１７とアウタスライド１５とを直接連結してもよい。
【００１２】
さらには、図２に示すように、フレーム１Ａの前方の左クランク軸１２及び右クランク軸（１０）の先端部と、フレーム１Ａの後方で噛合する左メインギヤ１３と右メインギヤ（１１）には、インナスライド１４及びアウタスライド１５の加振力を打ち消す方向に作用するバランスウエイト２０Ｂ、（２０Ａ）、２１Ｂ、（２１Ａ）が設けられている。
なお、本発明においては、左クランク軸１２と右クランク軸１０をフレーム１Ａの左右方向中心に対して対称に並列に配置し、左メインギヤ１３と右メインギヤ１１が噛合して左クランク軸１２と右クランク軸１０が対向回転するので、従来のように回転バランスを考慮しなくてもよく、また、動的バランスも上述のように左クランク軸１２及び右クランク軸（１０）と左メインギヤ１３及び右メインギヤ（１１）にバランスウエイト２０Ｂ、（２０Ａ）、２１Ｂ、（２１Ａ）を設けることで対応出来る。
【００１３】
上述のように構成されたスライド駆動装置により、インナスライド１４とアウタスライド１５は、所定の位相差をもって、所定のストローク長さでそれぞれ昇降を繰り返す。
【００１４】
図３は、上述の実施例における複動プレス１のインナスライドとアウタスライドのストローク線図を示す。
図３に示すように、アウタスライド１５は、インナスライド１４に対し、６０°先行して昇降し、例えば、下型上に供給されたコイル材をアウタスライド１５に取り付けた上型で押さえて切断した後、インナスライド１４に取り付けた上型で絞り加工製品のプレス加工を行う。
【００１５】
なお、図３においては、インナスライド１４とアウタスライド１５との位相差を６０°としたが、この位相差はプレス加工する製品により設定され、これに限定されるものではない。
【００１６】
【発明の効果】
以上の説明から明らかなように、本発明によれば、動的アンバランスも容易に解消出来、高剛性で、アウタスライドへの荷重伝達が適切な複動プレスのスライド駆動装置を提供出来る。
【図面の簡単な説明】
【図１】本発明の実施例における複動プレスの正面構成図
【図２】同じく、右側面の断面構成図
【図３】同じく、スライド行程線図
【符号の説明】
１は複動プレス、１Ａはフレーム、２はメインモータ、３はプーリ、４はベルト、５はフライホイール、６はクラッチ、７はブレーキ、８は駆動軸、９はピニオン、１０は右クランク軸、１１は右メインギヤ、１２は左クランク軸、１０Ａ、１２Ａは第１偏心部、１０Ｂ、１２Ｂは第２偏心部、１３は左メインギヤ、１４はインナスライド、１５はアウタスライド、１６はインナコネクチングロッド、１７はアウタコネクチングロッド、１８は第１スライド調節装置、１９は第２スライド調節装置、２０Ａ、２０Ｂ、２１Ａ、２１Ｂはバランスウエイト、２２はインナプランジャ、２３はインナプランジャガイド、２４はアウタプランジャ、２５はアウタプランジャガイド、である。
【図１】
0003644663.tif 000002
【図２】
0003644663.tif 000003
【図３】
0003644663.tif 000004